(57)【要約】【課題】機械工場などで使用しない工具を一時的に収納するに際し、これまでは刃部を上にして工具を収納しなければならなかったので、刃部を上にしても下にしても収納できるようにする。【解決手段】棚板と工具との間に介在する樹脂製の鍔つき円筒状の緩衝材を改良し、円筒の長さを短くし、下端を開放し、鍔の外周で上方へ延びる保護枠の長さを長くする。【選択図】図４
2019038060.tif 000002
【特許請求の範囲】
【請求項１】
左右に立設した支柱の間に棚板をさしわたし、棚板に丸孔をあけ、丸孔に樹脂製の緩衝材を付設してなる工具収納装置であって、上記緩衝材は円筒の上端に付設した鍔の外周に上方へ延びる円筒状の保護枠を付設したものであって、上記円筒はその長さが直径以下であって下端が開放されており、上記保護枠は、その長さが収納する工具のフランジ部をすべて覆う長さであって、その内周面が工具フランジ部の外周面に近接している構造の緩衝材であることを特徴とする、工具収納装置。
【請求項２】
左右に立設した支柱の間に棚板をさしわたし、棚板に丸孔をあけ、丸孔に樹脂製の緩衝材を付設し、緩衝材の中へ工具の一部を挿入して工具を収納する方法であって、上記緩衝材は円筒の上端に付設した鍔の外周に上方へ延びる円筒状の保護枠を付設したものであって、上記円筒はその長さが直径以下であって下端が開放されており、上記保護枠は、その長さが収納する工具のフランジ部をすべて覆う長さであって、その内周面が工具フランジ部の外周面に近接している構造の緩衝材を用い、工具は刃部を上に向けても下に向けても緩衝材に収納できることを特徴とする、工具収納方法。
【発明の詳細な説明】
【技術分野】
【０００１】
この発明は、工具収納装置及び工具収納方法に関するものである。
【背景技術】
【０００２】
機械工場では、旋盤、フライス盤、中ぐり盤、ボール盤などの工作機械に、目的にかなった種々の工具を選び取り付けて、金属を切削することが行われている。その工具は、不使用時には、再使用に便利な状態で工具収納装置に収納して保管される。この発明は、このような場合の工具収納装置に関するものであり、また工具収納方法に関するものである。
【０００３】
工具は、一端に金属を切削するための刃部を備え、他端に工作機械に取り付けるためのシャンク部を備え、その間に円板状のフランジ部を備えている。刃部は、切削の目的によって大きく形を変えるが、シャンク部は種々の工作機械に取り付ける部分であるから、大きさを変えるが形状を変えない。シャンク部は、ＪＩＳによって規格されている。フランジ部は、工具の軸に垂直な方向に大きく食み出し、刃部に向かう面もシャンク部に向かう面も平面とされている。そのため、工具を収納する際には、フランジ部を棚板に係止させて収納することが多く行われている。
【０００４】
工具を収納するには、棚板に工具を係止することが多い。その棚板は鋼板で作られている。棚板は、これに丸孔をあけ、丸孔に工具シャンク部を挿入し、上述のようにフランジ部を丸孔の周りに係止させて工具を収納することが多い。
この場合、工具フランジ部を棚板丸孔の周囲に直接接触させると、工具と棚板との当接が円滑でなかったり、工具刃部を損傷したりする危険がある。そこで、棚板と工具との間に樹脂製の緩衝材を介在させることが行われている。
【０００５】
緩衝材としては、既に色々な形状のものが提供されている。実用新案登録第３０８３６１５号公報、及び同第３０９５６４０号公報は、棚板にあけた丸孔の周りに緩衝材に相当する円環状の保持具を付設して、保持具内に工具を収納することにしている。しかし、この公報は、棚板の交換を容易にした棚を提供するものであるため、円環状の保持部については全く説明していない。従って、これらの公報は、緩衝材の構造を教えているものではない。
【０００６】
特開平１０−２９１７６号公報は、緩衝材に相当するものを工具保持具という名称で記載している。工具保持具は、下窄みの円筒の上端に鍔を設けた支持筒と、この支持筒の鍔に重なる鍔と、支持筒の円筒に内接する下窄みの円筒からなるフレキシブルアダプターとで構成される。この工具保持具は棚板にあけた丸孔に上記支持筒を挿入して鍔で棚板に係止させ、支持筒内に上記フレキシブルアダプターを挿入して、鍔同士を重ねて係止させ、フレキシブルアダプター内に工具のシャンク部を挿入し、工具フランジ部をフレキシブルアダプターの鍔上に乗せて、工具棚板に係止させることとしている。この工具保持部では、工具フランジ部を掴んで工具を取り出すために、工具フランジ部の一部をフレキシブルアダプターから露出させている。
【０００７】
特開２００３−３１１５８３号公報は、下窄みの円筒の上端に鍔を付設し、鍔の外周に上方に延びる円筒状の保護枠を形成するとともに、下窄みの円筒の下部に絞り部を設けた緩衝材を提供している。また、この公報は、上記円筒の上端を折り返して円筒部を二重壁としている。
この緩衝材は、工具刃部を上に向け、工具シャンク部を緩衝材の中に入れて工具を収納することにしている。そして、収納した工具の取り出しを容易にするために、工具フランジ部の上部を緩衝材から露出させている。
【０００８】
特開２００９−１７２６８８号公報は、上記の特開２００３−３１１５８３号公報の緩衝材に似た緩衝材を提供している。特開２００９−１７２６８８号公報の緩衝材は、円筒が下窄みではなくて、上端から下端まで同じ直径のものである点が異なるだけである。
この緩衝材では、工具は刃部を上にしてシャンク部を緩衝材の中に入れて収納される。工具は、再使用時に取り出しを容易にするために、矢張り工具フランジ部の一部を緩衝材から露出させている。
【０００９】
このように、これまで提供された緩衝材は、円筒の上端に鍔を設け、鍔の外周に上方へ延びる円筒状の保護枠を付設した構造のものであったが、上記円筒は工具シャンク部を収納する部分とされ、従って、工具は刃部を上にして緩衝材の中へ収納すべきだとされた。さらに、上記円筒はその中に収納した工具が揺れるのを防ぐために円筒下部を狭めて、工具シャンク部の横揺れを防ぐようにされた。また、上記保護枠はその長さが工具収納時に工具フランジ部の上端を保護枠から露出する長さとされてきた。
【先行技術文献】
【特許文献】
【００１０】
【特許文献１】実用新案登録第３０８３６１５号公報
【特許文献２】実用新案登録第３０９５６４０号公報
【特許文献３】特開平１０−２９１７６号公報
【特許文献４】特開２００３−３１１５８３号公報
【特許文献５】特開２００９−１７２６８８号公報
【発明の概要】
【発明が解決しようとする課題】
【００１１】
この発明者は、工具を収納するにあたって、工具刃部を必ず上に向けて収納しなければならないという制約は、工具を空間的に効率よく収納するのに妨げとなることに気付いた。例えば、棚板の上方には充分な空間がないが、下方には大きな空間がある場合、長い刃部を持った工具の刃部を上に向けてこの棚板に収納することができない。ところが、刃部を下に向けては収納できる。そこで、この発明者は、刃部を上に向けても下に向けても収納できる工具収納装置を提供しようと考えた。
【課題を解決するための手段】
【００１２】
これまで、工具刃部を下にして工具を工具収納装置に収納できなかったのは、緩衝材の構造のためである。すなわち、緩衝材が収納した工具の揺れを防ぐために、緩衝材の下部に段部を設けたり、絞り部を付設してきたから、刃部を下に向けて収納できないことに気付いた。
そこで、この発明者は、緩衝材の下部には段部や絞り部を設けないで、下部を開放することとした。そして、収納した工具の揺れを防ぐために、鍔の外周に付設した保護枠の長さを大きくし、工具フランジ部の外周面をすべて覆う長さとすることを試みた。その結果、工具は緩衝材内で大きく揺れることがなくなり、緩衝材内に安全に収納されることを確認した。この発明は、このような知見に基づいて完成されたものである。
【００１３】
この発明では、緩衝材の構造が発明の主体を構成するので、まず緩衝材の構造を説明する。この発明における緩衝材は、円筒の上端に付設した鍔の外周に、上方へ延びる円筒状の保護枠を形成した構造に、樹脂で一体に成形したものであって、上記円筒は軸方向の長さが直径以下であって、下端が開いた状態にされており、上記保護枠は、収納する工具のフランジ部の外周面をすべて覆い、その内面が工具フランジ部に近接した構造のものである。
【００１４】
こうして、この発明は、上記の緩衝材を用いた工具収納装置を提供するものであり、またこの工具収納装置を用いた工具を収納する方法を提供するものである。
この発明に係る工具収納装置は、左右に立設した支柱の間に棚板をさしわたし、棚板に丸孔をあけ、丸孔に樹脂製の緩衝材を付設してなる工具収納装置であって、上記緩衝材は、円筒の上端に付設した鍔の外周に上方へ延びる円筒状の保護枠を付設したものであって、上記円筒はその長さが直径以下であって、下端が開放されており、上記保護枠はその長さが収納する工具のフランジ部の外周面をすべて覆う長さであって、その内周面が工具フランジ部の外周面に近接した構造の緩衝材であることを特徴とするものである。
【００１５】
また、この発明に係る工具収納方法は、左右に立設した支柱の間に棚板をさしわたし、棚板に丸孔をあけ、丸孔に樹脂製の緩衝材を付設し、緩衝材の中に工具の一部を挿入して工具を収納する方法であって、上記緩衝材は円筒の上端に付設した鍔の外周に上方へ延びる円筒状の保護枠を付設したものであって、上記円筒はその長さが直径以下であって、下端が開放されており、上記保護枠はその長さが収納する工具のフランジ部の外周面をすべて覆う長さであって、その内周面が工具フランジ部の外周面に近接している構造のものを用い、工具は刃部を上に向けても下に向けても、緩衝材に挿入できることを特徴とするものである。
【発明の効果】
【００１６】
この発明では、左右に立設した支柱の間の棚板をさしわたし、棚板の丸孔をあけて丸孔に樹脂製の緩衝材を付設して工具収納装置としているから、構造が簡単であって緩衝材が存在するため収納にあたって工具を傷つけることが少なく、また収納時に棚板が移動して騒音を発することが防がれる。
また、この発明によれば、緩衝材は円筒の上端に付設した鍔の外周に、上方へ延びる円筒状の保護枠を付設した構造のものであるから、工具を緩衝材へ入れると、工具はフランジ部を緩衝材の鍔の上に置いて、緩衝材に安定に保持される。
【００１７】
また、この緩衝材は円筒の下端が開放された状態になっているので、工具は刃部を上に向けても、また下に向けても緩衝材内に収納することができる。従って、工具を空間的に効率よく収納することができる。また、円筒はその長さが直径以下とされているから、長さが短いために緩衝材を棚板に取り付けることが容易である。
また、緩衝材は、鍔の外周に上方へ延びる円筒状の保護枠を備え、保護枠はその内周面が収納する工具フランジ部の外周面に近接し、かつその長さが工具フランジ部の外周面をすべて覆う長さとされているので、緩衝材に収納された工具は、フランジ部が保護枠によって移動を抑制されているから棚板が大きく揺れても緩衝材から飛び出すことなく、安定に保持される。
【００１８】
また、この発明では工具刃部を上に向けて緩衝材に挿入したときは、シャンク部の下端が緩衝材の円筒から露出しているので、シャンク部の下端を手で押し上げて工具フランジ部を保護枠から飛び出させ、フランジ部を手で掴んで、工具を緩衝材から容易に取り出すことができる。従って工具の再使用が容易である。
また、この発明では工具刃部を下に向けて緩衝材に挿入したときは、工具刃部の下端が緩衝材から露出しているので、刃部の下端に布帛などを当てて刃部を押し上げ、上記の場合と同様に工具フランジ部を保護枠から飛び出させて、工具を緩衝材から容易に取り出すことができる。従って、この場合も工具の再使用が便利である。
【００１９】
また、この緩衝材は、構造が簡単なために、製作が容易である。
この発明は、このような効果をもたらすものである。
【図面の簡単な説明】
【００２０】
【図１】図１は、この発明に係る工具収納装置の一部分解正面図である。
【図２】図２は、図１に示した工具収納装置に用いられている緩衝材の拡大断面図である。
【図３】図３は、図２に示した緩衝材に工具が収納された状態を示す断面図である。
【図４】図４は、この発明に係る他の工具収納装置の一部分解斜視図である。
【図５】図５は、図４に示した工具収納装置に用いられている緩衝材の拡大断面図である。
【発明を実施するための形態】
【００２１】
次に、この発明に係る工具収納装置の一例を図面に基づいて説明する。
［実施例１］
図１は、この発明に係る工具収納装置の一部分解正面図である。この工具収納装置は左右に立設した支柱１の間に棚板２をさしわたし、棚板２に丸孔３をあけ、丸孔３に樹脂製の緩衝材４を付設して作られている。この工具収納装置は、各緩衝材４にそれぞれ一箇の工具を挿入して工具を収納する装置である。
【００２２】
緩衝材４は、図２に拡大した断面図を示したように、円筒４１の上端に鍔４２を付設し、鍔４２の外周に上方へ延びる円筒状の保護枠４３を付設した構造に、樹脂で一体に作られる。樹脂としては、ゴムのような天然樹脂を用いることもできるが、合成ゴム又は合成樹脂を用いることが好ましい。合成樹脂としてはポリアミド（ナイロン）や、ポリエチレン、ポリプロピレンのようなポリオレフィンを用いることが好ましい。
円筒４１は、工具シャンク部と、工具刃部との何れをも通過させることのできるものであることが必要である。円筒４１の内径は、シャンク部と刃部とをギリギリ通過させる程度の小さいものであることが好ましい。これは、円筒４１の上端に付設した鍔が、できるだけ広い幅を持ち、工具フランジ部を広い面で支持して、工具を安定に保持するためである。
【００２３】
円筒４１の下端は開放した状態にされる。通常は円筒４１の下端はもとの円筒４１のままにされる。また、円筒４１の長さは、直径以下とされる。そのうちで、好ましいのは円筒４１の長さが半径以下で、棚板２の厚みの２倍以上とすることである。
保護枠４３は、その内径が収納される工具フランジ部の外径よりも僅かに大きくし、その内面が工具フランジ部の外周面に近接するようにする。また保護枠４３の軸方向の長さは、収納する工具フランジ部の軸方向の長さよりも長くして、保護枠４３が工具フランジ部の外周面をすべて覆うようにする。しかし、保護枠４３の長さを余りに長くすると、工具を緩衝材から取り出すことが困難となるから、保護枠４３の長さは工具フランジ部の長さよりも僅かに長くするのが好ましい。云いかえると、保護枠４３の長さは、収納する工具フランジ部の長さより１〜数ｍｍ長い程度とすることが好ましい。
【００２４】
以上に説明したような緩衝材４を図１に示した棚板２の丸孔３に付設して作ったのが、この発明に係る工具収納装置である。
この発明に係る工具収納方法は、上述の工具収納装置を用いて工具を収納する方法である。工具は、刃部を上に向けても、下に向けても、上記の工具収納装置に収納することができる。これがこの発明の工具収納方法の特徴である。
図３の（ａ）は緩衝材４の中に工具刃部を上に向けて収納した状態を示し、図３の（ｂ）は工具刃部を下に向けて収納した状態を示している。
【００２５】
刃部を上に向けて収納する場合には、工具７のシャンク部７２又はフランジ部７３を手で持って、工具シャンク部７２を緩衝材４の中に挿入する。すると、工具７は図３の（ａ）に示したように、フランジ部７３を保護枠４３内に沈め、フランジ部７３の下面を緩衝材４の鍔４２の上に乗せて、緩衝材４の中に収納される。このとき、工具７はフランジ部７３が緩衝材４の保護枠４３によって覆われ、しかも保護枠４３の内面がフランジ部７３の外周面に近接しているので、工具７はフランジ部７３によって緩衝材４内で揺れることを抑制される。そのため、工具は安定した状態で緩衝材４の中に収納されることになる。
【００２６】
また、収納状態では工具シャンク部の下部が緩衝材の円筒４１から露出しているので、工具シャンク部７２の下部を手で押し上げ、工具フランジ部７３を保護枠４３から露出させ、工具フランジ部７３を手で持つことにより、工具７を緩衝材４から容易に取り出すことができる。こうして、工具を容易に再使用に供することができる。
また、工具刃部７１を下に向けて収納する場合には、工具フランジ部７３又は工具シャンク部７２を手で持ち、工具刃部７１を緩衝材４の保護枠４３に入れ、工具フランジ部４３を保護枠４３内へ落とし込むことによって、工具７を緩衝材４の中へ収納することができる。収納された工具７は、前述の刃部７１を上に向けて収納した場合と同様に、フランジ部７３を保護枠４３内に沈めているので、緩衝材４の中へ安定した状態で収納される。
【００２７】
刃部７１を下に向けて収納されている工具を収納装置から取り出すには、工具シャンク部７２を手で掴んで持ち上げるか、又は工具刃部７１が緩衝材４の円筒４１から露出しているので工具刃部７１に布帛などを当接して、布帛を手で押し上げるかによって、工具フランジ部７３を緩衝材４の保護枠４３から飛び出させ、飛び出したフランジ部７３を手で持って工具７を緩衝材４から取り出すことができる。こうして、収納された工具７を再使用に供する。
【００２８】
この発明に係る工具収納方法は、上述のように、刃部を上に向けても下に向けても緩衝材に収納することができるので、工具を工具収納装置の中で空間的に効率よく収納することができる。すなわち、例えば、刃部の長い工具は棚板上方に大きな空間があるときは、刃部を上に向けて収納することとし、棚板上方に充分な空間がなく下方に大きな空間があるときは、刃部を下に向けて収納することにより、空間的に効率よく工具を収納することができる。
【００２９】
［実施例２］
図４は、この発明に係る他の工具収納装置の一部分解斜視図である。図５は図４の装置で用いられている緩衝材の拡大断面図である。
図４に示した工具収納装置は、左右に立設した支柱１の間に棚板２及び２１をさしわたし、棚板２、２１に丸孔３をあけ、丸孔３に樹脂製の緩衝材５を付設して、緩衝材５の中に工具を一箇ずつ挿入して収納するようにしたものである。棚板２は支柱１の間に固定されているが、棚板２１は固定されないで、支柱１に固定された図示していないレールに沿って、引き出し可能にされている。
【００３０】
棚板２、２１は、図４に示したように、奥行の大きい板であって、そこに複数列の丸孔３があけられている。各丸孔３に図５に示したような緩衝材５が付設されて、この発明に係る工具収納装置が作られている。
図５に示した緩衝材５は、円筒５１の上端に鍔５２を付設し、鍔５２の外周に上方へ延びる円筒状の保護枠５３を付設し、保護枠５３の上端に外側へ延びる折り返し部５４を設け、折り返し部５４の先に外筒５５を付設した構造に一体に作られている。
【００３１】
すなわち図５に示した緩衝材５は、図２に示した緩衝材４に比べると、折り返し部５４と外筒５５とが付加されている点で異なっている。外筒５５の下端は、鍔５２よりも下方へ位置するようにされている。従って、緩衝材５を棚板２に付設すると、緩衝材５は外筒の下端を棚板２に接触させて棚板に係止され、鍔５２は棚板２に接触しないで棚板２の上方に位置することになる。
【００３２】
図５に示した緩衝材５では、鍔５２が棚板２又は２１に直接接触していないので、緩衝材５の中へ工具を挿入したとき、工具フランジ部７３の下面が緩衝材５の鍔５２に衝突しても、衝突の衝撃が緩和されて棚板の振動が小さく、衝撃音も小さくなる、という利点をもたらす。
図５に示した緩衝材５は上述の点を除けば、図２に示した緩衝材４と全く同じである。すなわち、緩衝材５は、円筒５１の長さが直径以下とされ、下端が開放されている。また緩衝材５は、保護枠５３の長さが収納する工具のフランジ部をすべて覆う長さとされ、保護枠５３の内周面が工具フランジ部の外周面に近接するようにされている。
【００３３】
そのため、緩衝材は緩衝材４について述べたと全く同じ効果を示すこととなる。すなわち、緩衝材５は工具刃部を上に向けても、下に向けても、工具を収納することができる。収納された工具は、フランジ部の下面を鍔５２の上に乗せて安定な状態で収納される。収納された工具は、フランジ部７３がこれに近接する保護枠５３中に沈み込むから、棚板が大きく揺れても、工具は緩衝材５から飛び出すようなことはない。また、収納された工具を緩衝材５から取り出すことも、緩衝材４と同じように容易である。従って、緩衝材５を付設した図４に示す工具収納装置は、図１に示した工具収納装置と同じように空間的に工具を効率よく収納することができる。
【符号の説明】
【００３４】
１    支柱
２、２１    棚板
３    丸孔
４、５    緩衝材
７    工具
４１、５１    円筒
４２、５２    鍔
４３、５３    保護枠
５４    折り返し部
５５    外筒
７１    刃部
７２    シャンク部
７３    フランジ部
【図１】
2019038060.tif 000003
【図２】
2019038060.tif 000004
【図３】
2019038060.tif 000005
【図４】
2019038060.tif 000006
【図５】
2019038060.tif 000007